(57)【要約】【課題】ネットワーク接続している通信機器が離脱した時や他の通信機器を接続した場合にＩＥＥＥ１３９４シリアルバスの伝送路にバスリセットが発生しないようにする。【解決手段】第１の通信機器と第２の通信機器とを接続した状態で、第２の通信機器の設定情報が通信されたのを検知して擬似ノード部を第２の通信機器と同じに設定し、第２の通信機器が離脱したのを検知した場合に第１の通信機器と擬似ノード部を接続する。【選択図】    図１
2004241892.tif 000002
【特許請求の範囲】
【請求項１】
複数のＩＥＥＥ１３９４シリアルバスのインターフェイスを持つ通信機器の管理方法において、
第１の通信機器と第２の通信機器とを接続した状態で第２の通信機器の設定情報が通信されたのを検知して擬似ノード部を前記第２の通信機器と同じに設定し、
前記第２の通信機器が離脱したのを検知した場合に前記第１の通信機器と前記擬似ノード部を接続する
ことを特徴とする伝送管理装置の管理方法。
【請求項２】
複数のＩＥＥＥ１３９４シリアルバスのインターフェイスを持つ通信機器の管理方法において、
先に第１の通信機器を接続している状態で次に第２の通信機器を接続した場合に、前記第２の通信機器の接続を検知し、
前記第１の通信機器からバスリセットが通信されてくるのを検知してから前記第１の通信機器と前記第２の通信機器とをネットワーク接続する
ことを特徴とする伝送管理装置の管理方法。
【請求項３】
複数のＩＥＥＥ１３９４シリアルバスのインターフェイスを持つ通信機器の管理方法において、
第１の通信機器と第２の通信機器とを接続した状態で第２の通信機器の設定情報が通信されたのを検知して擬似ノード部を前記第２の通信機器と同じに設定し、
前記第２の通信機器が離脱したのを検知した場合に前記第１の通信機器と前記擬似ノード部を接続し、
先に前記第１の通信機器を接続している状態で次に前記第２の通信機器を接続した場合に前記第２の通信機器の接続を検知し、
前記第１の通信機器からバスリセットが通信されてくるのを検知してから前記第１の通信機器と前記第２の通信機器とをネットワーク接続する
こととを特徴とする伝送管理装置の管理方法。
【請求項４】
複数のＩＥＥＥ１３９４シリアルバスのインターフェイスを持つ通信機器の管理方法において、
第１の通信機器と第２の通信機器とを接続した状態で其々の通信機器の設定情報が通信されたのを検知して其々の擬似ノード部を其々の通信機器と同じに設定し、
一方の前記通信機器が離脱したのを検知した場合に他方の前記通信機器と前記擬似ノード部を接続し、
先に一方の前記通信機器を接続している状態で次に他方の前記通信機器を接続した場合に他方の前記通信機器の接続を検知し、
一方の前記通信機器からバスリセットが通信されてくるのを検知した場合に其々の前記通信機器をネットワーク接続する
こととを特徴とする伝送管理装置の管理方法。
【発明の詳細な説明】
【０００１】
【発明の属する技術分野】
本発明は、ＩＥＥＥ１３９４シリアルバスのインターフェイスを持つ通信機器において、ネットワーク接続している通信機器が離脱した時や他の通信機器をネットワーク接続した時に、ＩＥＥＥ１３９４シリアルバスの伝送路にバスリセットが発生するのを防止する機能を持つ伝送管理装置の管理方法に関する。
【０００２】
【従来の技術】
従来技術では、複数の通信機器をＩＥＥＥ１３９４シリアルバスでネットワーク接続しているネットワークシステムにおいて、ネットワーク接続している通信機器が離脱した時や他の通信機器を接続した場合にＩＥＥＥ１３９４シリアルバスの伝送路にバスリセットが発生する。図９  と図１０はその状況を説明する図である。通信機器Ａ（９１１）と通信機器Ｂ（９１２）と通信機器Ｃ（９１３）とがネットワーク１（９１４）とネットワーク２（９１５）とで接続されたネットワークシステムＡ（９０１）において通信機器Ｃ（９１３）が離脱した時、ネットワークシステムＢ（９０２）が構成される。図１１はそのときのタイミングチャートを示していて、ネットワークシステムＡ（９０１）から通信機器Ｃ（９１３）が離脱（１１００）した時にネットワークシステムＢ（９０２）に移行すると共にネットワークシステムＢ（９０２）の伝送路にバスリセット（１１０１）が発生してバス構成処理（１１０２）が行われる。
また通信機器Ａ（１０１１）と通信機器Ｂ（１０１２）とがネットワーク１（１０１４）で接続されるネットワークシステムＡ（１００１）に通信機器Ｃ（１０１３）をネットワーク２（１０１５）で接続した時、ネットワークシステムＢ（１００２）  が構成される。図１２はそのときのタイミングチャートを示していて、ネットワークシステムＡ（１００１）に通信機器Ｃ（１０１３）を接続（１２００）した時にネットワークシステムＢ（１００２）に移行すると共にネットワークシステムＢ（１００２）の伝送路にバスリセット（１２０１）が発生してバス構成処理（１２０２）が行われる（例えば、特許文献１参照）。
【０００３】
【特許文献１】特開２０００−２２４１８９号公報
【０００４】
【発明が解決しようとする課題】
ところが、ＩＥＥＥ１３９４シリアルバスの伝送路にバスリセット（１１０１，１２０１）が発生してバス構成処理（１１０１，１２０２）が行われるため、ネットワークに接続された通信機器の通信が中断されるという問題点があった。
そこで本発明では、このような問題にかんがみてなされたものであり、複数の通信機器を接続しているネットワークシステムにおいて、ネットワーク接続している通信機器が離脱した時や他の通信機器を接続した場合にＩＥＥＥ１３９４シリアルバスの伝送路にバスリセットが発生しないようにすることを目的とする。
【０００５】
【課題を解決するための手段】
請求項１記載の伝送管理装置の管理方法は、複数のＩＥＥＥ１３９４シリアルバスのインターフェイスを持つ通信機器の管理方法において、第１の通信機器と第２の通信機器とを接続した状態で第２の通信機器の設定情報が通信されたのを検知して擬似ノード部を前記第２の通信機器と同じに設定し、前記第２の通信機器が離脱したのを検知した場合に前記第１の通信機器と前記擬似ノード部を接続することを特徴とする。
請求項１記載の伝送管理装置の管理方法によれば、第２の通信機器が離脱した時にインターフェイス２監視部が離脱を検知してインターフェイス１と擬似ノード部とを接続するので、離脱した時はネットワークシステムが保持されてＩＥＥＥ１３９４シリアルバスの伝送路にバスリセットが発生するのを防止することができる。
【０００６】
請求項２記載の伝送管理装置の管理方法は、先に第１の通信機器を接続している状態で次に第２の通信機器を接続した場合に、前記第２の通信機器の接続を検知し、前記第１の通信機器からバスリセットが通信されてくるのを検知してから前記第１の通信機器と前記第２の通信機器とをネットワーク接続することを特徴とする。
【０００７】
請求項３記載の伝送管理装置の管理方法は、第１の通信機器と第２の通信機器とを接続した状態で第２の通信機器の設定情報が通信されたのを検知して擬似ノード部を前記第２の通信機器と同じに設定し、前記第２の通信機器が離脱したのを検知した場合に前記第１の通信機器と前記擬似ノード部を接続し、先に前記第１の通信機器を接続している状態で次に前記第２の通信機器を接続した場合に前記第２の通信機器の接続を検知し、前記第１の通信機器からバスリセットが通信されてくるのを検知してから前記第１の通信機器と前記第２の通信機器とをネットワーク接続することとを特徴とする。
【０００８】
請求項４記載の伝送管理装置は、第１の通信機器と第２の通信機器とを接続した状態で其々の通信機器の設定情報が通信されたのを検知して其々の擬似ノード部を其々の通信機器と同じに設定し、一方の前記通信機器が離脱したのを検知した場合に他方の前記通信機器と前記擬似ノード部を接続し、先に一方の前記通信機器を接続している状態で次に他方の前記通信機器を接続した場合に他方の前記通信機器の接続を検知し、一方の前記通信機器からバスリセットが通信されてくるのを検知した場合に其々の前記通信機器をネットワーク接続することとを特徴とする。
請求項２〜４記載の伝送管理装置によれば、離脱した時はネットワークシステムが保持され、接続した時はネットワークシステムが保持されるので、ＩＥＥＥ１３９４シリアルバスの伝送路にバスリセットが発生するのを防止するることができる。
【０００９】
【発明の実施の形態】
図１は本発明の構成例１である。
通信機器（１００）は、インターフェイス１（１０１）とインターフェイス２（１０２）を持ち伝送管理装置（１０３）が機能している。
伝送管理装置（１０３）は、インターフェイス１（１０１）とインタフェース２（１０２）または擬似ノード部（１１３）のどちらかとを接続するスイッチ（１１１）と、スイッチ（１１１）を駆動するスイッチ駆動部（１１２）と、インタフェース２（１０２）に接続されていた他の通信機器の代わりをする擬似ノード部（１１３）と、擬似ノード部（１１３）を設定する擬似ノード設定部（１１４）と、インターフェイス２（１０２）の通信をモニタするインターフェイス２通信モニタ部（１１５）と、インターフェース２（１０２）に接続している他の通信機器がインターフェイス１（１０１）に接続している他の通信機器とネットワーク接続しているかを監視するインターフェイス２監視部（１１６）とで構成されている。
図２は本発明に関するネットワークシステム１である。
複数の通信機器（２１１，２１２，２１３）があり、ネットワークシステムＡ（２０１）は通信機器Ａ（２１１）と通信機器Ｂ（２１２）と通信機器Ｃ（２１３）とがネットワーク１（２１４）とネットワーク２（２１５）とで接続されている。ネットワークシステムＢ（２０２）は、ネットワークシステムＡ（２０１）から通信機器Ｃ（２１３）が離脱した時のネットワークシステムである。
図４は本発明に関するタイミングチャート１である。
図２のネットワークシステムＡ（２０１）から通信機器Ｃ（２１３）が離脱（４００）した時のネットワークシステムの変化と其々のネットワークシステムの伝送路でのＩＥＥＥ１３９４シリアルバスの処理を現す。図４では、常にネットワークシステムＡ（２０１）が機能し、処理は何もしていないことを示している。
【００１０】
本発明の第１の転送管理装置の実施の形態について図１と図２と図４とを用いて説明する。
ここで図１の通信機器（１００）と図２の通信機器Ｂ（２１２）は同一のものとし、インターフェイス１（１０１）に第１の通信機器Ａ（２１１）を接続しているものとする。
伝送管理装置（１０３）は、インターフェイス２監視部（１１６）で、インターフェイス２（１０２）に接続している他の通信機器がインターフェイス１（１０１）に接続している通信機器Ａ（２１１）とネットワーク接続されているか監視をおこなう。
インターフェイス２（１０２）に通信機器Ｃ（２１３）を接続して通信機器Ａ（２１１）とネットワーク接続しているネットワークシステムＡ（２０１）の状態では、インターフェイス２監視部（１１６）は通信機器Ｃ（２１３）の接続を検知し、スイッチ（１１１）でインターフェイス１（１０１）とインターフェイス２（１０２）とを接続するようスイッチ駆動部（１１２）に指示すると共にインターフェイス２通信モニタ部（１１５）にモニタの開始を指示する。
スイッチ駆動部（１１２）はスイッチ（１１１）を駆動する。
インターフェイス２通信モニタ部（１１５）はインターフェイス２（１０２）の通信をモニタし、通信内容が通信機器Ｃ（２１３）の設定情報が通信されたのを検知して擬似ノード設定部（１１４）に伝え、擬似ノード設定部（１１４）は伝達内容に基づいて擬似ノード部（１１３）を設定する。
インターフェイス２（１０２）に接続していた通信機器Ｃ（２１３）が離脱（４００）した時に、インターフェイス２監視部（１１６）で離脱を検知し、スイッチ（１１１）でインターフェイス１（１０１）と擬似ノード部（１１３）とを接続するようスイッチ駆動部（１１２）に指示すると共にインターフェイス２通信モニタ部（１１５）にモニタの停止を指示する。
スイッチ駆動部（１１２）はスイッチ（１１１）を駆動し、インターフェイス２通信モニタ部（１１５）はモニタを停止する。
インターフェイス２（１０２）に接続していた通信機器Ｃ（２１３）が離脱してからスイッチ（１１１）が駆動するまでの時間は、ＩＥＥＥ１３９４シリアルバスで定められたバスリセットを認識する時間より十分短いものとする。
この実施の形態の転送管理装置は、複数のＩＥＥＥ１３９４シリアルバスのインターフェイス（１０１，１０２）を持つ通信機器において、一方のインターフェイス１（１０１）に通信機器Ａ（２１１）を接続し他方のインターフェイス２（１０２）に通信機器Ｃ（２１３）を接続しているネットワークシステムＡ（２０１）の場合、インターフェイス２（１０２）の通信をインターフェイス２通信モニタ部（１１５）がモニタして通信機器Ｃ（２１３）の設定情報が通信されたのを検知して擬似ノード設定部（１１４）を介して擬似ノード部（１１３）を設定し、前記状態から通信機器Ｃ（２１３）が離脱（４００）した時にインターフェイス２監視部（１１６）が離脱を検知してインターフェイス１（１０１）と擬似ノード部（１１３）とを接続することから前記離脱（４００）した時はネットワークシステムＡ（２０１）を保持することにより、ＩＥＥＥ１３９４シリアルバスの伝送路にバスリセットが発生するのを防止することができる。
【００１１】
図３は本発明に関するネットワークシステム２である。
複数の通信機器（３１１，３１２，３１３）があり、ネットワークシステムＡ（３０１）は通信機器Ａ（３１１）と通信機器Ｂ（３１２）  とがネットワーク１（３１４）  で接続されている。ネットワークシステムＢ（３０２）は、ネットワークシステムＡ（３０１）に通信機器Ｃ（３１３）がネットワーク２（３１５）で接続した時のネットワークシステムである。
図５は本発明に関するタイミングチャート２である。
図３のネットワークシステムＡ（３０１）に通信機器Ｃ（３１３）を接続（５００）した時のネットワークシステムの変化と其々のネットワークシステムの伝送路でのＩＥＥＥ１３９４シリアルバスの処理を現す。図５では、常にネットワークシステムＡ（３０１）が機能し、処理は何もしていないことを示している。
図６は本発明の構成例２である。
通信機器（６００）は、インターフェイス１（６０１）とインターフェイス２（６０２）を持ち伝送管理装置（６０３）が機能している。
伝送管理装置（６０３）は、インターフェイス１（６０１）とインタフェース２（６０２）とを接続または切断するスイッチ（６１１）と、スイッチ（６１１）を駆動するスイッチ駆動部（６１２）と、インターフェース２（６０２）に他の通信機器が接続しているかを監視するインターフェイス２監視部（６１３）と、インターフェイス１（６０１）の通信をモニタするインターフェイス１通信モニタ部（６１４）とで構成されている。
【００１２】
本発明の第２の転送管理装置の実施の形態について図３と図５と図６とを用いて説明する。
ここで図６の通信機器（６００）と図３の通信機器Ｂ（３１２）は同一のものとし、インターフェイス１（６０１）に他の通信機器Ａ（３１１）を接続しているものとする。
伝送管理装置（６０３）は、インターフェイス２監視部（６１３）で、インターフェイス２（６０２）に他の通信機器が接続しているか監視をおこなう。
インターフェイス２（６０２）に他の通信機器を接続していないネットワークシステムＡ（３０１）の場合、インターフェイス２監視部（６１３）で何も接続していないのを検知し、スイッチ（６１１）でインターフェイス１（６０１）とインタフェース２（６０２）とを切断するようスイッチ駆動部（６１２）に指示する。
スイッチ駆動部（６１２）はスイッチ（６１１）を駆動する。
インターフェイス２（６０２）に通信機器Ｃ（３１３）を接続（５００）した時に、インターフェイス２監視部（６１３）で接続を検知し、インターフェイス１通信モニタ部（６１４）にモニタの開始を指示する。
インターフェイス１通信モニタ部（６１４）は、インターフェイス１（６０１）の通信をモニタし、バスリセットが伝送されてきたのを検知してからスイッチ（６１１）でインターフェイス１（６０１）とインタフェース２（６０２）とを接続するようスイッチ駆動部（６１２）に指示する。
スイッチ駆動部（６１２）はスイッチ（６１１）を駆動し、インターフェイス１（６０２）に接続している通信機器Ａ（３１１）とインターフェイス２（１０２）に接続している通信機器Ｃ（３１３）とをネットワーク接続する。
インターフェイス１（６０１）からバスリセットが伝送されてきてからスイッチ（６１１）が駆動するまでの時間は、ＩＥＥＥ１３９４シリアルバスで定められたバスリセット後に行われるバス構成処理に間に合うくらい十分速いものとする。
この実施の形態の転送管理装置は、複数のＩＥＥＥ１３９４シリアルバスのインターフェイス（６０１，６０２）を持つ通信機器において、一方のインターフェイス１（６０１）に通信機器Ａ（３１１）を接続し他方のインターフェイス２（７０２）に何も接続していネットワークシステムＡ（３０１）の状態から、他方のインターフェイス２（６０２）に通信機器Ｃ（３１３）を接続（５００）した時に、インターフェイス２監視部（６１３）で接続を検知しさらにインターフェイス１通信モニタ部（６１４）がインターフェイス１（６０１）からバスリセットが伝送されてきたのを検知してからインターフェイス１（６０１）とインターフェイス２（６０２）とを接続することから前記接続（５００）した時はネットワークシステムＡ（３０１）を保持することにより、ＩＥＥＥ１３９４シリアルバスの伝送路にバスリセットが発生するのを防止することができる。
【００１３】
図７は本発明の構成例３である。
通信機器（７００）は、インターフェイス１（７０１）とインターフェイス２（７０２）を持ち伝送管理装置（７０３）が機能している。
伝送管理装置（７０３）は、インターフェイス１（７０１）とインタフェース２（７０２）または擬似ノード部（７１３）のどちらかとを接続するスイッチ（７１１）と、前記スイッチ（７１１）を駆動するスイッチ駆動部（７１２）と、前記インタフェース２（７０２）に接続されていた通信機器の代わりをする前記擬似ノード部（７１３）と、前記擬似ノード部（７１３）を設定する擬似ノード設定部（７１４）と、前記インターフェイス２（７０２）の通信をモニタするインターフェイス２通信モニタ部（７１５）と、前記インターフェース２（７０２）に他の通信機器が接続されているかと前記通信機器が前記インターフェイス１（７０１）に接続している他の通信機器とネットワーク接続されているかとを監視するインターフェイス２監視部（７１６）と、前記インターフェイス１（７０１）の通信をモニタするインターフェイス１通信モニタ部（７１７）とで構成されている。
【００１４】
本発明の第３の転送管理装置の実施の形態について図２と図３と図４と図５と図７とを用いて説明する。
ここで図７の通信機器（７００）と図２の通信機器Ｂ（２１２）と図３の通信機器Ｂ（３１２）、図２の通信機器Ａ（２１１）と図３の通信機器Ａ（３１１）、図２の通信機器Ｃ（２１３）と図３の通信機器Ｃ（３１３）は同一のものとする。
最初に図２と図４と図７とを用い、インターフェイス１（７０１）に通信機器Ａ（２１１）を接続しているものとする。
伝送管理装置（７０３）は、インターフェイス２監視部（７１６）で、インターフェイス２（７０２）に接続している他の通信機器がインターフェイス１（７０１）に接続している通信機器Ａ（２１１）とネットワーク接続されているか監視をおこなう。
インターフェイス２（７０２）に通信機器Ｃ（２１３）を接続して通信機器Ａ（２１１）とネットワーク接続しているネットワークシステムＡ（２０１）の場合、インターフェイス２監視部（７１６）は通信機器Ｃ（２１３）の接続を検知し、スイッチ（７１１）でインターフェイス１（７０１）とインターフェイス２（７０２）とを接続するようスイッチ駆動部（７１２）に指示すると共にインターフェイス２通信モニタ部（７１５）にモニタの開始を指示する。
スイッチ駆動部（７１２）はスイッチ（７１１）を駆動する。
インターフェイス２通信モニタ部（７１５）はインターフェイス２（７０２）の通信をモニタし、通信内容が通信機器Ｃ（２１３）の設定情報が通信されたのを検知して擬似ノード設定部（７１４）に伝え、擬似ノード設定部（７１４）は伝達内容に基づいて擬似ノード部（７１３）を設定する。
インターフェイス２（７０２）に接続していた通信機器Ｃ（２１３）が離脱（４００）した時に、インターフェイス２監視部（７１６）で離脱を検知し、スイッチ（７１１）でインターフェイス１（７０１）と擬似ノード部（７１３）とを接続するようスイッチ駆動部（７１２）に指示すると共にインターフェイス２通信モニタ部（７１５）にモニタの停止を指示する。
スイッチ駆動部（７１２）はスイッチ（７１１）を駆動し、インターフェイス２通信モニタ部（７１５）はモニタを停止する。
インターフェイス２（７０２）に接続していた通信機器Ｃ（２１３）が離脱してからスイッチ（７１１）が駆動するまでの時間は、ＩＥＥＥ１３９４シリアルバスで定められたバスリセットを認識する時間より十分短いものとする。
次に図３と図５と図７とを用い、インターフェイス１（７０１）に通信機器Ａ（３１１）を接続しているものとする。
伝送管理装置（７０３）は、インターフェイス２監視部（７１６）で、インターフェイス２（７０２）に他の通信機器が接続しているか監視をおこなう。
インターフェイス２（７０２）に他の通信機器を接続していないネットワークシステムＡ（３０１）の場合、インターフェイス２監視部（７１６）で何も接続していないのを検知し、スイッチ（７１１）でインターフェイス１（７０１）とインタフェース２（７０２）とを切断するようスイッチ駆動部（７１２）に指示する。
スイッチ駆動部（７１２）はスイッチ（７１１）を駆動する。
インターフェイス２（７０２）に通信機器Ｃ（３１３）を接続（５００）した時に、インターフェイス２監視部（７１６）で接続を検知し、インターフェイス１通信モニタ部（７１７）にモニタの開始を指示する。
インターフェイス１通信モニタ部（７１７）は、インターフェイス１（７０１）の通信をモニタし、バスリセットが伝送されてきたのを検知してからスイッチ（７１１）でインターフェイス１（７０１）とインタフェース２（７０２）とを接続するようスイッチ駆動部（７１２）に指示する。
スイッチ駆動部（７１２）はスイッチ（７１１）を駆動し、インターフェイス１（７０２）に接続している通信機器Ａ（３１１）とインターフェイス２（７０２）に接続している通信機器Ｃ（３１３）とをネットワーク接続する。
インターフェイス１（７０１）からバスリセットが伝送されてきてからスイッチ（７１１）が駆動するまでの時間は、ＩＥＥＥ１３９４シリアルバスで定められたバスリセット後に行われるバス構成処理に間に合うくらい十分速いものとする。
この実施の形態の転送管理装置は、複数のＩＥＥＥ１３９４シリアルバスのインターフェイス（７０１，７０２）を持つ通信機器において、
一方のインターフェイス１（７０１）に通信機器Ａ（２１１）を接続し他方のインターフェイス２（７０２）に通信機器Ｃ（２１３）を接続しているネットワークシステムＡ（２０１）の状態で、インターフェイス２（７０２）の通信をインターフェイス２通信モニタ部（７１５）がモニタして通信機器Ｃ（２１３）の設定情報が通信されたのを検知して擬似ノード設定部（７１４）を介して擬似ノード部（７１３）を設定し、前記状態から通信機器Ｃ（２１３）が離脱（４００）した時にインターフェイス２監視部（７１６）が離脱を検知してインターフェイス１（７０１）と擬似ノード部（７１３）とを接続することから前記離脱（４００）した時はネットワークシステムＡ（２０１）を保持することと、
一方のインターフェイス１（７０１）に通信機器Ａ（３１１）を接続し他方のインターフェイス２（７０２）に何も接続していないネットワークシステムＡ（３０１）の状態から、他方のインターフェイス２（７０２）に通信機器Ｃ（３１３）を接続（５００）した時に、インターフェイス２監視部（７１６）で接続を検知しさらにインターフェイス１通信モニタ部（７１７）がインターフェイス１（７０１）からバスリセットが伝送されてきたのを検知してからインターフェイス１（７０１）とインターフェイス２（７０２）とを接続することから前記接続（５００）した時はネットワークシステムＡ（３０１）を保持することにより、
ＩＥＥＥ１３９４シリアルバスの伝送路にバスリセットが発生するのを防止することができる。
【００１５】
図８は本発明の構成例４である。
通信機器（８００）は、インターフェイス１（８０１）とインターフェイス２（８０２）を持ち伝送管理装置（８０３）が機能している。
伝送管理装置（８０３）は、インターフェイス１（８０１）とインタフェース２（８０２）または擬似ノード部２（８３１）のどちらかとを接続するスイッチ１（８１１）と、インタフェース２（８０２）と擬似ノード部１（８２１）とを接続または切断するスイッチ２（８１２）と、擬似ノード設定部１（８２２）と擬似ノード部１（８２１）とを接続または切断するスイッチ３（８１３）と、擬似ノード設定部２（８３２）と擬似ノード部２（８３１）とを接続または切断するスイッチ４（８１４）と、スイッチ１（８１１）とスイッチ２（８１２）とスイッチ３（８１３）とスイッチ４（８１４）とを駆動するスイッチ駆動部（８１５）と、インタフェース１（８０１）に接続されていた通信機器の代わりをする擬似ノード部１（８２１）と、擬似ノード部１（８２１）を設定する擬似ノード設定部１（８２２）と、インターフェイス１（８０１）の通信をモニタするインターフェイス１通信モニタ部（８２３）と、インターフェース２（８０２）に他の通信機器が接続されているかとインターフェース２（８０２）に接続している他の通信機器とインターフェイス１（８０１）に接続している他の通信機器とがネットワーク接続されているかとを監視するインターフェイス１監視部（８２４）と、インタフェース２（８０２）に接続されていた通信機器の代わりをする擬似ノード部２（８３１）と、擬似ノード部２（８３１）を設定する擬似ノード設定部２（８３２）と、インターフェイス２（８０２）の通信をモニタするインターフェイス２通信モニタ部（８３３）と、インターフェース２（８０２）に他の通信機器が接続されているかとインターフェース２（８０２）に接続している他の通信機器とインターフェイス１（８０１）に接続している他の通信機器とがネットワーク接続されているかとを監視するインターフェイス２監視部（８３４）とで構成されている。
【００１６】
本発明の第４の転送管理装置の実施の形態について図２と図３と図４と図５と図８とを用いて説明する。
ここで図８の通信機器（８００）と図２の通信機器Ｂ（２１２）と図３の通信機器Ｂ（３１２）  、図２の通信機器Ａ（２１１）と図３の通信機器Ａ（３１１）、図２の通信機器Ｃ（２１３）と図３の通信機器Ｃ（３１３）は同一のものとする。
伝送管理装置（８０３）は、インターフェイス１監視部（８２４）でインターフェイス１（８０１）に他の通信機器が接続しているかと前記通信機器がインターフェイス２（８０２）に接続している他の通信機器とネットワーク接続されているか監視をおこなうと共に、インターフェイス２監視部（８３４）で前記インターフェイス２（８０２）に他の通信機器が接続しているかと前記通信機器が前記インターフェイス１（８０１）に接続している他の通信機器とネットワーク接続されているか監視をおこなう。
インターフェイス１通信モニタ部（８２３）は、インターフェイス１（８０１）の通信をモニタし、通信内容が前記インターフェイス１（８０１）に接続している通信機器の設定情報が通信されたのを検知して擬似ノード設定部１（８２２）に伝える。
擬似ノード設定部１（８２２）は、スイッチ３（８１３）が前記擬似ノード設定部１（８２２）と擬似ノード部１（８２１）とを接続している場合、インターフェイス１通信モニタ部（８２４）からの伝達内容に基づいて擬似ノード部１（８２１）を設定する。
インターフェイス２通信モニタ部（８３３）は、インターフェイス２（８０２）の通信をモニタし、通信内容が前記インターフェイス１（８０１）に接続している通信機器の設定情報が通信されたのを検知して擬似ノード設定部２（８３２）に伝える。
擬似ノード設定部２（８３２）は、スイッチ４（８１４）が前記擬似ノード設定部２（８３２）と擬似ノード部２（８３１）を接続している場合、インターフェイス２通信モニタ部（８３３）からの伝達内容に基づいて擬似ノード部２（８３１）設定する。
最初に図２と図４と図８とを用い、インターフェイス２（８０２）に通信機器Ａ（２１１）を接続しているものとする。
インターフェイス１（８０１）に通信機器Ｃ（２１３）を接続して通信機器Ａ（２１１）とネットワーク接続しているネットワークシステムＡ（２０１）の状態では、インターフェイス１監視部（８２４）は通信機器Ｃ（２１３）の接続を検知すると共にインターフェイス２監視部（８３４）は通信機器Ａ（２１１）の接続を検知し、スイッチ１（８１１）でインターフェイス１（８０１）とインターフェイス２（８０２）とを接続し、スイッチ２（８１２）でインターフェイス２（８０２）と擬似ノード部１（８２１）とを切断し、スイッチ３（８１３）で擬似ノード設定部１（８２２）と擬似ノード部１（８２１）とを接続し、スイッチ４（８１４）で擬似ノード設定部２（８３２）と擬似ノード部２（８３１）とを接続するようスイッチ駆動部（８１５）に指示する。スイッチ駆動部（８１５）は、スイッチ１（８１１）とスイッチ２（８１２）とスイッチ３（８１３）とスイッチ４（８１４）とを駆動する。
インターフェイス１（８０１）に接続していた通信機器Ｃ（２１３）が離脱（４００）した時に、インターフェイス１監視部（８２４）で離脱を検知し、スイッチ１（８１１）でインターフェイス１（８０１）と擬似ノード部２（８３１）とを接続し、スイッチ２（８１２）でインターフェイス２（８０２）と擬似ノード部１（８２１）とを接続し、スイッチ３（８１３）で擬似ノード設定部１（８２２）と擬似ノード部１（８２１）とを切断するようスイッチ駆動部（８１５）に指示する。
スイッチ駆動部（８１５）は、スイッチ１（８１１）とスイッチ２（８１２）とスイッチ３（８１３）とを駆動する。
インターフェイス１（８０１）  に接続していた通信機器Ｃ（２１３）が離脱（４００）してからスイッチ１（８１１）とスイッチ２（８１２）とスイッチ３（８１３）とが駆動するまでの時間は、ＩＥＥＥ１３９４シリアルバスで定められたバスリセットを認識する時間より十分短いものとする。
ここから図３と図５と図８とを用い、インターフェイス２（８０２）に通信機器Ａ（３１１）を接続しているものとする。
インターフェイス１（８０１）に通信機器Ｃ（３１３）を接続（５００）した場合、インターフェイス１監視部（８２４）で接続を検知する。
インターフェイス２通信モニタ部（８３３）は、インターフェイス２（８０２）の通信をモニタし、バスリセットが伝送されてきたのを検知してからスイッチ１（８１１）でインターフェイス１（８０１）と前記インターフェイス２（８０２）とを接続し、スイッチ２（８１２）で前記インターフェイス２（８０２）と擬似ノード部１（８２１）とを切断し、スイッチ３（８１３）で擬似ノード設定部１（８２２）と前記擬似ノード部１（８２１）とを接続し、スイッチ４（８１４）で擬似ノード設定部２（８３２）と擬似ノード部２（８３１）とを接続するようスイッチ駆動部（８１５）に指示する。
スイッチ駆動部（８１５）はスイッチ１（８１１）とスイッチ２（８１２）とスイッチ３（８１３）とスイッチ４（８１４）とを駆動し、インターフェイス２（８０２）に接続している通信機器Ａ（３１１）とインターフェイス１（８０１）に接続している通信機器Ｃ（３１３）とをネットワーク接続する。
インターフェイス２（８０２）からバスリセットが伝送されてきてからスイッチ１（８１１）とスイッチ２（８１２）とスイッチ３（８１３）とスイッチ４（８１４）とが駆動するまでの時間は、ＩＥＥＥ１３９４シリアルバスで定められたバスリセット後に行われるバス構成処理に間に合うくらい十短いものとする。
次に図２と図４と図８とを用い、インターフェイス１（８０１）に通信機器Ａ（２１１）を接続しているものとする。
インターフェイス２（８０２）に通信機器Ｃ（２１３）を接続して通信機器Ａ（２１１）とネットワーク接続しているネットワークシステムＡ（２０１）の状態では、インターフェイス２監視部（８３４）は通信機器Ｃ（２１３）の接続を検知すると共にインターフェイス１監視部（８２４）は通信機器Ａ（２１１）の接続を検知し、スイッチ１（８１１）でインターフェイス１（８０１）とインターフェイス２（８０２）とを接続し、スイッチ２（８１２）でインターフェイス２（８０２）と擬似ノード部１（８２１）とを切断し、スイッチ３（８１３）で擬似ノード設定部１（８２２）と擬似ノード部１（８２１）とを接続し、スイッチ４（８１４）で擬似ノード設定部２（８３２）と擬似ノード部２（８３１）とを接続するようスイッチ駆動部（８１５）に指示する。
スイッチ駆動部（８１５）はスイッチ１（８１１）とスイッチ２（８１２）とスイッチ３（８１３）とスイッチ４（８１４）とを駆動する。
インターフェイス２（８０２）  に接続していた通信機器Ｃ（２１３）が離脱（４００）した時に、インターフェイス２監視部（８３４）で離脱を検知し、スイッチ１（８１１）でインターフェイス１（８０１）と擬似ノード部２（８３１）とを接続し、スイッチ４（８１４）で擬似ノード設定部２（８３２）と擬似ノード部２（８３１）とを切断するようスイッチ駆動部（８１５）に指示する。
スイッチ駆動部（８１５）はスイッチ１（８１１）とスイッチ４（８１４）とを駆動する。
インターフェイス２（８０２）  に接続していた通信機器Ｃ（２１３）が離脱（４００）してからスイッチ１（８１１）とスイッチ４（８１４）とが駆動するまでの時間は、ＩＥＥＥ１３９４シリアルバスで定められたバスリセットを認識する時間より十分短いものとする。
ここから図３と図５と図８とを用い、インターフェイス２（８０２）に通信機器Ａ（３１１）を接続しているものとする。
インターフェイス２（８０２）に通信機器Ｃ（３１３）を接続（５００）した場合、インターフェイス２監視部（８３４）で接続を検知する。
インターフェイス１通信モニタ部（８２２）は、インターフェイス１（８０１）の通信をモニタし、バスリセットが伝送されてきたのを検知してからスイッチ１（８１１）でインターフェイス１（８０１）とインターフェイス２（８０２）とを接続し、スイッチ２（８１２）でインターフェイス２（８０２）と擬似ノード部１（８２１）とを切断し、スイッチ３（８１３）で擬似ノード設定部１（８２２）と擬似ノード部１（８２１）とを接続し、スイッチ４（８１４）で擬似ノード設定部２（８３２）と擬似ノード部２（８３１）とを接続するようスイッチ駆動部（８１５）に指示する。
スイッチ駆動部（８１５）はスイッチ１（８１１）とスイッチ２（８１２）とスイッチ３（８１３）とスイッチ４（８１４）とを駆動し、インターフェイス１（８０１）に接続している通信機器Ａ（３１１）とインターフェイス２（８０２）に接続している通信機器Ｃ（３１３）とをネットワーク接続する。
インターフェイス１（８０１）からバスリセットが伝送されてきてからスイッチ１（８１１）とスイッチ２（８１２）とスイッチ３（８１３）とスイッチ４（８１４）とが駆動するまでの時間は、ＩＥＥＥ１３９４シリアルバスで定められたバスリセット後に行われるバス構成処理に間に合うくらい十短いものとする。
【００１７】
この実施の形態の転送管理装置は、複数のＩＥＥＥ１３９４シリアルバスのインターフェイス（８０１，８０２）を持つ通信機器において、
一方のインターフェイスに第１の通信機器を接続し他方のインターフェイスに第２の通信機器を接続しているネットワークシステムＡ（２０１）の状態で、
其々のインターフェイスの通信を其々のインターフェイス通信モニタ部（８２３または８３３）がモニタし接続されている通信機器の設定情報が通信されたのを検知して其々の擬似ノード設定部（８２２または８３２）を介して其々の擬似ノード部（８２１または８３１）を設定し、前記状態からどちらかの通信機器が離脱した時に、離脱した通信機器が接続していたインターフェイス監視部（８２４または８３４）で離脱を検知して、残った通信機器のインターフェイス（８０２または８０１）と離脱した通信機器の代わりの擬似ノード部（８２１または８３１）とを接続することから前記離脱した時はネットワークシステムが保持されることと、
一方のインターフェイス（８０１または８０２）に第１の通信機器を接続し他方のインターフェイス（８０２または８０１）に何も接続していないネットワークシステムＡ（３０１）の状態から、他方のインターフェイス（８０２または８０１）に第２の通信機器を接続した時に、第２の通信機器が接続されたインターフェイス監視部（８３４または８２４）で接続を検知しさらに第１の通信機器が接続されているインターフェイス通信モニタ部（８２３または８３３）でバスリセットが伝送されてきたのを検知してから、第１の通信機器を接続しているインターフェイス（８０１または８０２）と第２の通信機器を接続しているインターフェイス（８０２または８０１）とを接続することから前記接続した時はネットワークシステムが保持されることにより、
ＩＥＥＥ１３９４シリアルバスの伝送路にバスリセットが発生するのを防止するることができる。
【００１８】
以上、２つのＩＥＥＥ１３９４シリアルバスのインターフェイスを装備している通信機器を用いて本発明の実施例の説明をしたが、本発明の趣旨に従えば、ＩＥＥＥ１３９４シリアルバスのインターフェイスの数は２個以上でもよく、上記方法に準じて同様に実施できることはいうまでもない。
【００１９】
【発明の効果】
以上述べたように、請求項１記載の伝送管理装置によれば、一方のインターフェイス１に第１の通信機器を接続し他方のインターフェイス２に第２の通信機器を接続しているネットワークシステムの状態で、インターフェイス２の通信をインターフェイス２通信モニタ部がモニタして第２の通信機器の設定情報が通信されたのを検知して擬似ノード設定部を介して擬似ノード部を設定し、前記状態から第２の通信機器が離脱した時にインターフェイス２監視部が離脱を検知してインターフェイス１と擬似ノード部とを接続することから前記離脱した時はネットワークシステムが保持されることにより、ＩＥＥＥ１３９４シリアルバスの伝送路にバスリセットが発生するのを防止することができる。
請求項２記載の伝送管理装置によれば、一方のインターフェイス１に第１の通信機器を接続し他方のインターフェイス２に何も接続していネットワークシステムの状態から、他方のインターフェイス２に第２の通信機器を接続した時に、インターフェイス２監視部で接続を検知し、さらにインターフェイス１通信モニタ部でインターフェイス１からバスリセットが伝送されてきたのを検知した時にインターフェイス１とインターフェイス２とを接続することから前記接続した時はネットワークシステムが保持されることにより、ＩＥＥＥ１３９４シリアルバスの伝送路にバスリセットが発生するのを防止することができる。
請求項３記載の伝送管理装置によれば、一方のインターフェイス１に第１の通信機器を接続し他方のインターフェイス２に第２の通信機器を接続しているネットワークシステムの状態で、インターフェイス２の通信をインターフェイス２通信モニタ部がモニタして第２の通信機器の設定情報が通信されたのを検知して擬似ノード設定部を介して擬似ノード部を設定し、前記状態から第２の通信機器が離脱した時にインターフェイス２監視部が離脱を検知してインターフェイス１と擬似ノード部とを接続することから前記離脱した時はネットワークシステムが保持されることと、一方のインターフェイス１に第１の通信機器を接続し他方のインターフェイス２に何も接続していないネットワークシステムの状態から、他方のインターフェイス２（７０２）に第２の通信機器を接続した時に、インターフェイス２監視部で接続を検知し、さらにインターフェイス１通信モニタ部でインターフェイス１からバスリセットが伝送されてきたのを検知した時にインターフェイス１とインターフェイス２とを接続することから前記接続した時はネットワークシステムが保持されることにより、ＩＥＥＥ１３９４シリアルバスの伝送路にバスリセットが発生するのを防止することができる。
請求項４記載の伝送管理装置によれば、一方のインターフェイスに第１の通信機器を接続し他方のインターフェイスに第２の通信機器を接続しているネットワークシステムの状態で、其々のインターフェイスの通信を其々のインターフェイス通信モニタ部がモニタし接続されている通信機器の設定情報が通信されたのを検知して其々の擬似ノード設定部を介して其々の擬似ノード部を設定し、前記状態からどちらかの通信機器が離脱した時に、離脱した通信機器が接続していたインターフェイス監視部で離脱を検知して、残った通信機器のインターフェイスと離脱した通信機器の代わりの擬似ノード部とを接続することから前記離脱した時はネットワークシステムが保持されることと、一方のインターフェイスに第１の通信機器を接続し他方のインターフェイスに何も接続していないネットワークシステムの状態から、他方のインターフェイスに第２の通信機器を接続した時に、第２の通信機器が接続されたインターフェイス監視部で接続を検知しさらに第１の通信機器が接続されているインターフェイス通信モニタ部でバスリセットが伝送されてきたのを検知してから、第１の通信機器を接続しているインターフェイスと第２の通信機器を接続しているインターフェイスとを接続することから前記接続した時はネットワークシステムが保持されることにより、ＩＥＥＥ１３９４シリアルバスの伝送路にバスリセットが発生するのを防止することができる。
【図面の簡単な説明】
【図１】図１は本発明に構成例１である。
【図２】図２は本発明に関するネットワークシステム１である。
【図３】図３は本発明に関するネットワークシステム２である。
【図４】図４は本発明に関するタイミングチャート１である。
【図５】図５は本発明に関するタイミングチャート２である。
【図６】図６は本発明の構成例２である。
【図７】図７は本発明の構成例３である。
【図８】図８は本発明の構成例４である。
【図９】図９は従来技術に関するネットワークシステム１である。
【図１０】図１０は従来技術に関するネットワークシステム２である。
【図１１】図１１は従来技術に関するタイミングチャート１である。
【図１２】図１２は従来技術に関するタイミングチャート２である。
【符号の説明】
１００、６００、７００、８００    通信機器
１０１、６０１、７０１、８０１    インターフェイス１
１０２、６０２、７０２、８０２    インターフェイス２
１０３、６０３、７０３、８０３    伝送管理装置
１１１、６１１、７１１    スイッチ
１１２、６１２、７１２、８１５    スイッチ駆動部
１１３、７１３    擬似ノード部
１１４、７１４    擬似ノード設定部
１１５、７１５、８３３    インターフェイス２通信モニタ部
１１６、６１３、７１６、８３４    インターフェイス２監視部
１１４、７１７、８２３    インターフェイス１通信モニタ部
２０１、３０１、９０１、１００１  ネットワークシステムＡ
２０２、３０２、９０２、１００２  ネットワークシステムＢ
２１１、３１１、９１１、１０１１  通信機器Ａ
２１２、３１２、９１２、１０１２  通信機器Ｂ
２１３、３１３、９１３、１０１３  通信機器Ｃ
２１４、３１４、９１４、１０１４  ネットワークＡ
２１５、３１５、９１５、１０１５  ネットワークＢ
４００    ネットワークシステムＡ２０１から機器Ｃ２１３の離脱
５００    ネットワークシステムＡ３０１に機器Ｃ３１３を接続
８１１    スイッチ１
８１２    スイッチ２
８１３    スイッチ３
８１４    スイッチ４
８２１    擬似ノード部１
８２２    擬似ノード設定部１
８２４    インターフェイス１監視部
８３１    擬似ノード部２
８３２    擬似ノード設定部２
１１００  ネットワークシステムＡ９０１から機器Ｃ９１３の離脱
１１０１、１２０１  バスリセット
１１０２、１２０２  バス構成処理
１２００  ネットワークシステムＡ１００１に機器Ｃ１０１３を接続
【図１】
2004241892.tif 000003
【図２】
2004241892.tif 000004
【図３】
2004241892.tif 000005
【図４】
2004241892.tif 000006
【図５】
2004241892.tif 000007
【図６】
2004241892.tif 000008
【図７】
2004241892.tif 000009
【図８】
2004241892.tif 000010
【図９】
2004241892.tif 000011
【図１０】
2004241892.tif 000012
【図１１】
2004241892.tif 000013
【図１２】
2004241892.tif 000014